(57)【要約】本発明に係る印刷システムにおいては、更新カードを保持する左頁の見開きとなる右頁に、その更新カードが送付される会員に適合する広告が印刷される。したがって、広告が会員に確実に送付されると共に、更新カードを取り出そうとする会員の目に、その広告を確実に触れさせることができ、広告効果をより確実なものとすることができる。即ち、雑誌に広告を掲載する等、不特定の需要者を対象として広告を行う場合に比べ、広告に対する高い成約率を期待することができる。また、各会員に送付される広告の内容は、その会員に送付することにより広告効果が大きいものが選別されため、広告をより効率的に行うことができる。
2003095223.tif 000002
【特許請求の範囲】
【請求項１】
カードを分離可能に保持する保持部と、所定情報が印刷される情報掲載部とを一体に備え、カードを利用者に送付するために用いるカード送付用台紙であって、
前記情報掲載部は、前記カードと関連する情報が印刷される第１の情報掲載部と、広告情報が掲載される第２の情報掲載部とを備えることを特徴とするカード送付用台紙。
【請求項２】
前記保持部により前記カードが保持されたときにカード表面が現れる当該台紙の表面に、前記第１の情報掲載部と前記第２の情報掲載部とを備えることを特徴とする請求の範囲第１項記載のカード送付用台紙。
【請求項３】
台紙を左右に二分したときの左側領域および右側領域の一方に、前記保持部と前記第１の情報掲載部とを備え、前記左側領域および右側領域の他方に前記第２の情報掲載部を備えることを特徴とする請求の範囲第２項記載のカード送付用台紙。
【請求項４】
前記左側領域および右側領域の一方に、カードの送付先が印刷される送付先印刷領域を備えることを特徴とする請求の範囲第３項記載のカード送付用台紙。
【請求項５】
前記左側領域および右側領域の区分線を境にして裏面側が内側となるように折り曲げられ、その折り曲げられた状態でさらに折りたたまれて前記送付先印刷領域が表面となるように、折り目が付けられていることを特徴とする請求の範囲第４項記載のカード送付用台紙。
【請求項６】
前記左側領域および右側領域の区分線に対して交差する線を境にして前記送付先印刷領域が表面となるように折り曲げられ、その折り曲げられた状態でさらに折りたたまれるように折り目が付けられていることを特徴とする請求の範囲第４項記載のカード送付用台紙。
【請求項７】
前記第１の情報掲載部に印刷されている情報は、カードの送付案内情報であることを特徴とする請求の範囲第１項〜第６項のいずれかに記載のカード送付用台紙。
【請求項８】
前記第２の情報掲載部に印刷される広告情報は、カード利用者に対応して選択されたものであることを特徴とする請求の範囲第１項〜第７項のいずれかに記載のカード送付用台紙。
【請求項９】
前記第２の情報掲載部に印刷される広告情報は、金融商品に関する情報を含むことを特徴とする請求の範囲第１項〜第８項のいずれかに記載のカード送付用台紙。
【請求項１０】
請求の範囲第４項記載のカード送付用台紙を折りたたむための折りたたみ装置であって、
前記左側領域および右側領域の区分線を境にして裏面側が内側となるように折り曲げ、その折り曲げた状態でさらに折りたたんで前記送付先印刷領域が表面となるように、カード送付用台紙を折り曲げることを特徴とする折りたたみ装置。
【請求項１１】
請求の範囲第４項記載のカード送付用台紙を折りたたむための折りたたみ装置であって、
前記左側領域および右側領域の区分線に対して交差する線を境にして前記送付先印刷領域が表面となるように折り曲げ、その折り曲げた状態でカード送付用台紙をさらに折りたたむことを特徴とする折りたたみ装置。
【請求項１２】
カードを利用者に送付するために用いるカード送付用台紙に所定事項を印刷する印刷機と、カードの利用者に関する所定情報を管理する利用者情報サーバとを含み、該印刷機と利用者情報サーバとが通信可能に構成された印刷システムであって、
前記印刷機および利用者情報サーバと通信可能に構成され、所定の広告に関する広告情報を管理する広告サーバをさらに含み、
前記利用者情報サーバは、自装置が管理する利用者に関する所定情報のうち、カードが送付される利用者に関する送付者情報を前記印刷機に送信すると共に、該送付者情報のうち、その利用者に適合する広告を選別するために用いる選別情報を前記広告サーバに送信し、
前記広告サーバは、前記選別情報に基づいて、カードが送付される利用者に対する広告情報を選別して前記印刷機に送信し、
前記印刷機は、前記送付者情報と前記広告情報とに基づいて、所定のカード送付用台紙に、前記利用者へのカードの送付に伴い必要となる所定事項と、前記広告情報に基づく広告とを印刷することを特徴とする印刷システム。
【請求項１３】
前記広告は、金融商品に関する広告であることを特徴とする請求の範囲第１２項記載の印刷システム。
【請求項１４】
カードを利用者に送付するために用いるカード送付用台紙に所定事項を印刷する印刷機と、カードの利用者に関する所定情報を管理する利用者情報サーバとを含み、該印刷機と利用者情報サーバとが通信可能に構成された印刷システムにおける印刷機を制御する制御プログラムであって、
前記利用者情報サーバが管理する利用者に関する所定情報のうち、カードが送付される利用者に関する送付者情報を受信し、所定の広告に関する広告情報を管理する広告サーバから、カードが送付される利用者に対する広告情報を受信し、該送付者情報と前記広告情報とに基づいて、所定のカード送付用台紙に、前記利用者へのカードの送付に伴い必要となる所定事項と、前記広告情報に基づく広告とを印刷する機能を実現させることを特徴とする制御プログラム。
【請求項１５】
カードを利用者に送付するために用いるカード送付用台紙に所定事項を印刷する印刷機と、カードの利用者に関する所定情報を管理する利用者情報サーバとを含み、該印刷機と利用者情報サーバとが通信可能に構成された印刷システムに所定の広告に関する広告情報を提供する広告サーバを制御する制御プログラムであって、
前記印刷機および利用者情報サーバと通信可能に構成された広告サーバに、
前記利用者情報サーバが管理する利用者に関する所定情報のうち、カードが送付される利用者に適合する広告を選別するために用いる選別情報を受信し、該選別情報に基づいて、カードが送付される利用者に対する広告情報を選別して前記印刷機に送信する機能を実現させることを特徴とする制御プログラム。
【請求項１６】
カードを利用者に送付するために用いるカード送付用台紙に所定事項を印刷する印刷機と、カードの利用者に関する所定情報を管理する利用者情報サーバとを含み、該印刷機と利用者情報サーバとが通信可能に構成された印刷システムにおける利用者情報サーバを制御する制御プログラムであって、
自装置が管理する利用者に関する所定情報のうち、カードが送付される利用者に関する送付者情報を前記印刷機に送信し、前記印刷機および利用者情報サーバと通信可能に構成され、所定の広告に関する広告情報を管理する広告サーバに、該送付者情報のうち、その利用者に適合する広告を選別するために用いる選別情報を送信する機能を実現させることを特徴とする制御プログラム。
【発明の詳細な説明】
技術分野
本発明は、カード等を送付するためのカード送付用台紙、カード送付用台紙の折りたたみ装置、印刷システムおよび制御プログラムに関する。
背景技術
従来、クレジットカード会社を介して、カード利用者（以下、「会員」と言う。）に対し、生命保険会社あるいは損害保険会社等から生命保険あるいは損害保険を含む金融商品の案内が行われている。
この場合、一般に、カード利用者に対し金融商品の案内をダイレクトメールで郵送する方法が用いられている。
しかし、ダイレクトメールによって金融商品の広告のみを送付する場合、ダイレクトメールを受け取った会員は、それが単なる広告であるとの認識を持ち、そのダイレクトメールは、開封されることなく廃棄されてしまうことも少なくなかった。
一方、クレジットカードには有効期限が設定されているため、会員には、クレジットカード会社から所定の時期に、期限を更新するための新しいカードが郵送される。このとき送付される郵便物は、新しいカードが同封された重要なものであることから、配達が証明される書留扱い等にされるものである。
そして、会員は、送付された新しいカードを取り出すために、確実に郵便物を開封することとなる。
したがって、新しいカードの送付時は、広告効果が特に大きいと考えられ、このときにも金融商品の案内を同封して広告を行っている。
しかしながら、新しいカードを送付する際に同封された金融商品の案内は、カードを保持する台紙（例えば、図５に示すような台紙）とは別の用紙に印刷された状態で同封されている。
したがって、新しいカードが郵送されてきた場合、会員は、カードが保持された台紙を広げて内容を確認し、カードを台紙から取り外すことは確実に行うものの、同封されている金融商品の案内を必ず見るとは限らず、広告を見ることなく廃棄してしまうこともしばしばあるということが判明した。そのため、期待された広告効果が確実には得られないものとなっていた。
本発明の課題は、カード等の送付に併せて行われる広告の効果を確実にすることである。
発明の開示
本発明によるカード送付用台紙は、カードを分離可能に保持する保持部（例えば、図２のカード保持部２ａ）と、所定情報が印刷される情報掲載部（例えば、図２のメッセージ記入部２ｂ、必要事項記入部２ｃおよび広告記入部２ｄ）とを一体に備え、カードを利用者に送付するために用いるカード送付用台紙であって、前記情報掲載部は、前記カードと関連する情報が印刷される第１の情報掲載部（例えば、図２のメッセージ記入部２ｂおよび必要事項記入部２ｃ）と、広告情報が掲載される第２の情報掲載部（例えば、図２の広告記入部２ｄ）とを備えることを特徴としている。
このように保持部と情報掲載部とが一体として構成されることにより、広告情報を、カードを分離しようとするカードの利用者の目に確実に触れさせることが可能となる。
また、本発明によるカード送付用台紙は、前記保持部により前記カードが保持されたときにカード表面が現れる当該台紙の表面に、前記第１の情報掲載部と前記第２の情報掲載部とを備えることとしてもよい。
このように第１の情報掲載部と第２の情報掲載部とが同一面に備えられることにより、カードと関連する情報を読もうとするカードの利用者の目に広告情報がより確実に触れることとなる。
また、本発明によるカード送付用台紙は、台紙を左右に二分したときの左側領域および右側領域の一方に、前記保持部と前記第１の情報掲載部とを備え、前記左側領域および右側領域の他方に前記第２の情報掲載部を備えることとしてもよい。
このような構成とすることにより、特に、文章が横書きで記載されている場合、文章を読むカードの利用者が広告に目を移し易くなる。
また、本発明によるカード送付用台紙は、前記左側領域および右側領域の一方に、カードの送付先が印刷される送付先印刷領域を備えることとしてもよい。
また、本発明によるカード送付用台紙は、前記左側領域および右側領域の区分線を境にして裏面側が内側となるように折り曲げられ、その折り曲げられた状態でさらに折りたたまれて前記送付先印刷領域が表面となるように、折り目が付けられていることとしてもよい。
また、本発明によるカード送付用台紙は、前記左側領域および右側領域の区分線に対して交差する線を境にして前記送付先印刷領域が表面となるように折り曲げられ、その折り曲げられた状態でさらに折りたたまれるように折り目が付けられていることとしてもよい。
また、本発明によるカード送付用台紙において、前記第１の情報掲載部に印刷されている情報は、カードの送付案内情報であることとしてもよい。
また、本発明によるカード送付用台紙において、前記第２の情報掲載部に印刷される広告情報は、カード利用者に対応して選択されたものであることとしてもよい。
また、本発明によるカード送付用台紙において、前記第２の情報掲載部に印刷される広告情報は、金融商品（例えば、損害保険や生命保険のプラン等）に関する情報を含むこととしてもよい。
また、本発明による折りたたみ装置は、前記カード送付用台紙を折りたたむための折りたたみ装置であって、前記左側領域および右側領域の区分線を境にして裏面側が内側となるように折り曲げ、その折り曲げた状態でさらに折りたたんで前記送付先印刷領域が表面となるように、カード送付用台紙を折り曲げることを特徴としている。
また、本発明による折りたたみ装置は、前記カード送付用台紙を折りたたむための折りたたみ装置であって、前記左側領域および右側領域の区分線に対して交差する線を境にして前記送付先印刷領域が表面となるように折り曲げ、その折り曲げた状態でカード送付用台紙をさらに折りたたむことを特徴としている。
また、本発明による印刷システムは、カードを利用者に送付するために用いるカード送付用台紙に所定事項を印刷する印刷機（例えば、図１の印刷機１０）と、カードの利用者に関する所定情報を管理する利用者情報サーバ（例えば、図１の会員データサーバ２０）とを含み、該印刷機と利用者情報サーバとが通信可能に構成された印刷システムであって、前記印刷機および利用者情報サーバと通信可能に構成され、所定の広告に関する広告情報を管理する広告サーバ（例えば、図１の広告データサーバ３０）をさらに含み、前記利用者情報サーバは、自装置が管理する利用者に関する所定情報のうち、カードが送付される利用者に関する送付者情報を前記印刷機に送信すると共に、該送付者情報のうち、その利用者に適合する広告を選別するために用いる選別情報（例えば、発明の実施の形態中の「広告選別用情報」）を前記広告サーバに送信し、前記広告サーバは、前記選別情報に基づいて、カードが送付される利用者に対する広告情報を選別して前記印刷機に送信し、前記印刷機は、前記送付者情報と前記広告情報とに基づいて、所定のカード送付用台紙（例えば、図２の広告付台紙２）に、前記利用者へのカードの送付に伴い必要となる所定事項と、前記広告情報に基づく広告とを印刷することを特徴としている。
また、本発明による印刷システムにおいて、前記広告は、金融商品（例えば、損害保険あるいは生命保険等）に関する広告であることとしてもよい。
また、本発明による制御プログラムは、カードを利用者に送付するために用いるカード送付用台紙に所定事項を印刷する印刷機と、カードの利用者に関する所定情報を管理する利用者情報サーバとを含み、該印刷機と利用者情報サーバとが通信可能に構成された印刷システムにおける印刷機を制御する制御プログラムであって、前記利用者情報サーバが管理する利用者に関する所定情報のうち、カードが送付される利用者に関する送付者情報を受信し、所定の広告に関する広告情報を管理する広告サーバから、カードが送付される利用者に対する広告情報を受信し、該送付者情報と前記広告情報とに基づいて、所定のカード送付用台紙に、前記利用者へのカードの送付に伴い必要となる所定事項と、前記広告情報に基づく広告とを印刷する機能を実現させることを特徴としている。
また、本発明による制御プログラムは、カードを利用者に送付するために用いるカード送付用台紙に所定事項を印刷する印刷機と、カードの利用者に関する所定情報を管理する利用者情報サーバとを含み、該印刷機と利用者情報サーバとが通信可能に構成された印刷システムに所定の広告に関する広告情報を提供する広告サーバを制御する制御プログラムであって、前記印刷機および利用者情報サーバと通信可能に構成された広告サーバに、前記利用者情報サーバが管理する利用者に関する所定情報のうち、カードが送付される利用者に適合する広告を選別するために用いる選別情報を受信し、該選別情報に基づいて、カードが送付される利用者に対する広告情報を選別して前記印刷機に送信する機能を実現させることを特徴としている。
また、本発明による制御プログラムは、カードを利用者に送付するために用いるカード送付用台紙に所定事項を印刷する印刷機と、カードの利用者に関する所定情報を管理する利用者情報サーバとを含み、該印刷機と利用者情報サーバとが通信可能に構成された印刷システムにおける利用者情報サーバを制御する制御プログラムであって、自装置が管理する利用者に関する所定情報のうち、カードが送付される利用者に関する送付者情報を前記印刷機に送信し、前記印刷機および利用者情報サーバと通信可能に構成され、所定の広告に関する広告情報を管理する広告サーバに、該送付者情報のうち、その利用者に適合する広告を選別するために用いる選別情報を送信する機能を実現させることを特徴としている。
本発明によれば、カードを保持するカード送付用台紙に、そのカードが送付される利用者に適合する広告が印刷される。
したがって、広告がカードの利用者に確実に送付されると共に、カード送付用台紙とは別の用紙に印刷された広告を単に同封する場合に比べ、カードを取り出そうとするカード利用者の目にその広告を確実に触れさせることができる。
また、各利用者に送付される広告の内容は、その利用者に送付することにより広告効果が大きいものが選別されため、広告をより効率的に行うことができる。
発明を実施するための最良の形態
以下、図を参照して本発明に係る印刷システムの実施の形態を詳細に説明する。
図１は、本発明を適用した印刷システム１の構成を示す図である。
印刷システム１においては、クレジットカード等を保持する専用の台紙への印刷が行われる。
したがって、初めに、この専用の台紙（以下、「広告付台紙２」と言う。）の構成について説明する。
図２（ａ）は、広告付台紙２の構成を示す図である。図２（ａ）において、広告付台紙２は、期限の更新等のために新しく送付されるカード（以下、「更新カード」と言う。）を保持するカード保持部２ａと、更新カードの送付先あるいはクレジットカード会社等から会員に対する挨拶等のメッセージを記入するためのメッセージ記入部２ｂと、カードの利用規約等、必要事項が記入される必要事項記入部２ｃと、金融商品の広告が記入される広告記入部２ｄとを含んで構成される。
広告付台紙２において、カード保持部２ａ、メッセージ記入部２ｂおよび必要事項記入部２ｃは、左半分の領域（以下、「左頁」と言う。）に配置され、広告記入部２ｄは、右半分の領域（以下、「右頁］と言う。）に配置される。
また、左頁において、メッセージ記入部２ｂは上段に、カード保持部２ａは中段に、必要事項記入部２ｃは下段にそれぞれ配置されている。
そして、広告付台紙２は、郵送時に以下のように折りたたまれる。
広告付台紙２において、初めに、図２（ｂ）に示すように、左頁と右頁の境界につけられた折り目において、広告付台紙２の表面（メッセージ記入部２ｂ等が設けられた面）が表出するように折りたたまれる。
次いで、左頁の上段、中段および下段の境界につけられた折り目において、図２（ｃ）に示すように広告付台紙２が折りたたまれる。このとき、上段と中段の境界は山折りに、中段と下段の境界は谷折りとされる。
このように折りたたむことにより、折りたたまれた状態でメッセージ記入部２ｂが表面に現れ、カード保持部２ａは３つ折りの内側に折り込まれることとなる。
したがって、更新カードを受領した会員がカードの台紙を開く際、更新カードを取り外そうとすることにより、右頁に記入された金融商品の広告を見ることとなる。即ち、更新カードの送付時に同封された広告を、確実に会員の目に触れさせることができ、広告の効果を確実なものとすることができる。
次に、図１を参照して、印刷システム１の構成を説明する。
図１において、印刷システム１は、印刷機１０と、会員データサーバ２０と、広告データサーバ３０と、ネットワーク４０とを含んで構成される。
印刷機１０は、広告付台紙２の各部分に所定の記入事項を印刷する印刷機構を備えている。また、印刷機１０は、会員データサーバ２０および広告データサーバ３０とネットワーク４０を介して接続されている。そして、印刷機１０は、会員データサーバ２０から、更新カードを送付する会員に関する情報を受信し、その会員の住所、氏名等を広告付台紙２の宛先、住所等の記入欄に印刷すると共に、その会員へのメッセージを広告付台紙２の所定位置に印刷する。さらに、印刷機１０は、広告データサーバ３０から、所定の広告に関する情報を受信し、受信した金融商品の広告を広告付台紙２の右頁に印刷する。
また、印刷機１０は、印刷された広告付台紙２を用いて更新カードを封入する作業を行う封入機構を備え、印刷された広告付台紙２に、対応する会員の更新カードを保持させ、折りたたんで封筒に封入することにより郵送可能な状態とする。なお、封入機構は、印刷機１０と別ユニットとすることも可能である。
会員データサーバ２０は、クレジットカードの利用者である会員の住所、氏名、カードの有効期限等を含む会員情報を管理し、ネットワーク４０を介して、更新カードを送付する会員の会員情報を印刷機１０に送信する。
また、会員データサーバ２０は、広告データサーバ３０に対し、更新カードを送付する会員に関する情報（以下、「広告選別用情報」と言う。）を送信する。このとき送信される広告選別用情報は、その会員に対する広告内容を決定するために有用な情報であり、例えば、年齢に合わせた生命保険プランや、損害保険プランを選択するために利用される。
広告データサーバ３０は、種々の金融商品の広告に関する情報（以下、「広告情報」と言う。）を記憶し、会員データサーバ２０から送信される広告選別用情報に基づいて、その広告選別用情報に適する広告情報を印刷機１０に送信する。
ここで、広告データサーバ３０に記憶される広告情報は、生命保険会社あるいは損害保険会社等の広告主から、カードを送付するカード会社等が送付を依頼された広告に関する情報である。
ネットワーク４０は、専用ネットワークあるいは公衆ネットワークにより構成され、印刷機１０と、会員データサーバ２０と、広告データサーバ３０とを相互に接続する。
次に、印刷システム１の動作を説明する。
図３は、印刷システム１において、更新カードを印刷し郵送可能な状態とする処理の流れを示す図である。
図３において、初めに、会員データサーバ２０が、管理している会員のうち、カードの更新時期となった会員の会員情報を印刷機１０に送信し（ステップＳ１）、その会員についての広告選別用情報を広告データサーバ３０に送信する（ステップＳ２）。
すると、広告データサーバ３０は、受信した広告選別用情報に基づいて、その会員に対して広告効果が大きい広告情報を選別し（ステップＳ３）、選別した広告情報を印刷機１０に送信する（ステップＳ４）。
次に、印刷機１０は、会員データサーバ２０から受信した会員情報に基づいて、広告付台紙２に、所定の会員の住所あるいは氏名等を、また、広告データサーバ３０から受信した広告情報に基づいて、その会員に対する広告をそれぞれ印刷し、さらに、必要事項を印刷する（ステップＳ５）。
続いて、印刷機１０は、封入機構によって、更新カードを対応する広告付台紙２に保持させ、折りたたむ等の封入作業を行うことにより、郵送可能な状態とする（ステップＳ６）。
このようにして封入された更新カードは、郵送等により会員に送付され、その会員によって開封されることとなる。そして、このとき、広告付台紙２を開き、更新カードを取り出そうとする会員は、更新カードが保持された左頁に対し、見開きである右頁に印刷された広告を見ることとなる。したがって、広告付台紙２を使用することにより、送付された広告を確実に会員の目に入れることができる。
以上のように、本実施の形態における印刷システム１は、更新カードを保持する左頁の見開きとなる右頁に、その更新カードが送付される会員に適合する広告が印刷される。
したがって、広告が会員に確実に送付されると共に、更新カードを取り出そうとする会員の目に、その広告を確実に触れさせることができ、広告効果をより確実なものとすることができる。即ち、雑誌に広告を掲載する等、不特定の需要者を対象として広告を行う場合に比べ、広告に対する高い成約率を期待することができる。
また、各会員に送付される広告の内容は、その会員に送付することにより広告効果が大きいものが選別されため、広告をより効率的に行うことができる。
なお、広告付台紙２を郵送のために折りたたむ態様は、図２に示す例の他、以下のような態様も可能である。
図４は、広告付台紙２を折りたたむ態様の他の例を示す図である。
初めに、図４（ａ）に示す広告付台紙２が広げられた状態から、左頁の上段、中段および下段の境界に沿って左頁および右頁に渡る折り目において、図４（ｂ）に示すように広告付台紙２が折りたたまれる。このとき、上段と中段の境界は山折りに、中段と下段の境界は谷折りとされる。
次いで、図４（ｂ）のように３つ折りとされた状態において、左頁と右頁の境界にあたる折り目において、広告付台紙２のメッセージ記入部２ｂが表出するように折りたたまれる。
このように折りたたむことにより、折りたたまれた状態でメッセージ記入部２ｂが表面に現れ、カード保持部２ａは３つ折の内側に折り込まれることとなる。
さらに、折りたたまれた広告付台紙２を開く手順において、会員がカード保持部２ａを広げ見る場合には、必ず広告記入部２ｄが広げられることとなる。
したがって、更新カードを受領した会員がカードの台紙を開く際、更新カードを取り外そうとすることにより、右頁に記入された広告をより確実に見ることとなる。
産業上の利用の可能性
本発明によれば、カードを保持するカード送付用台紙に、そのカードが送付される利用者に適合する広告が印刷される。
したがって、広告がカードの利用者に確実に送付されると共に、カード送付用台紙とは別の用紙に印刷された広告を単に同封する場合に比べ、カードを取り出そうとするカード利用者の目にその広告を確実に触れさせることができる。
また、各利用者に送付される広告の内容は、その利用者に送付することにより広告効果が大きいものが選別されため、広告をより効率的に行うことができる。
【図面の簡単な説明】
図１は、本発明を適用した印刷システム１の構成を示す図である。図２は、広告付台紙２の構成および折りたたむ態様の一例を示す図である。図３は、印刷システム１において、更新カードを印刷し郵送可能な状態とする処理の流れを示す図である。図４は、広告付台紙２を折りたたむ態様の他の例を示す図である。図５は、従来のカード送付用台紙の構成を示す図である。
【図１】
2003095223.tif 000003
【図２】
2003095223.tif 000004
【図３】
2003095223.tif 000005
【図４】
2003095223.tif 000006
【図５】
2003095223.tif 000007
【手続補正書】
【提出日】平成15年10月20日(2003.10.20)
【手続補正１】
【補正対象書類名】特許請求の範囲
【補正対象項目名】全文
【補正方法】変更
【補正の内容】
【特許請求の範囲】
【請求項１】
（削除）
【請求項２】
（削除）
【請求項３】
（削除）
【請求項４】
（削除）
【請求項５】
カードを分離可能に保持する保持部と、所定情報が印刷される情報掲載部とを一体に備え、カードを利用者に送付するために用いるカード送付用台紙であって、
前記情報掲載部は、前記保持部により前記カードが保持されたときにカード表面が現れる当該台紙の表面に、前記カードと関連する情報が印刷される第１の情報掲載部と、広告情報が掲載される第２の情報掲載部とを備え、
台紙を左右に二分したときの左側領域および右側領域の一方に、前記保持部と前記第１の情報掲載部とカードの送付先が印刷される送付先印刷領域とを備え、前記左側領域および右側領域の他方に前記第２の情報掲載部を備え、
さらに、前記左側領域および右側領域の区分線を境にして裏面側が内側となるように折り曲げられ、その折り曲げられた状態でさらに折りたたまれて前記送付先印刷領域が表面とされていることを特徴とするカード送付用台紙。
【請求項６】
カードを分離可能に保持する保持部と、所定情報が印刷される情報掲載部とを一体に備え、カードを利用者に送付するために用いるカード送付用台紙であって、
前記情報掲載部は、前記保持部により前記カードが保持されたときにカード表面が現れる当該台紙の表面に、前記カードと関連する情報が印刷される第１の情報掲載部と、広告情報が掲載される第２の情報掲載部とを備え、
台紙を左右に二分したときの左側領域および右側領域の一方に、前記保持部と前記第１の情報掲載部とカードの送付先が印刷される送付先印刷領域とを備え、前記左側領域および右側領域の他方に前記第２の情報掲載部を備え、
さらに、前記左側領域および右側領域の区分線に対して交差する線を境にして前記送付先印刷領域が表面となるように折り曲げられ、その折り曲げられた状態でさらに折りたたまれていることを特徴とするカード送付用台紙。
【請求項７】
前記第１の情報掲載部に印刷されている情報は、カードの送付案内情報であることを特徴とする請求の範囲第５項〜第６項のいずれかに記載のカード送付用台紙。
【請求項８】
前記第２の情報掲載部に印刷される広告情報は、カード利用者に対応して選択されたものであることを特徴とする請求の範囲第５項〜第７項のいずれかに記載のカード送付用台紙。
【請求項９】
前記第２の情報掲載部に印刷される広告情報は、金融商品に関する情報を含むことを特徴とする請求の範囲第５項〜第８項のいずれかに記載のカード送付用台紙。
【請求項１０】
カードを分離可能に保持する保持部と、所定情報が印刷される情報掲載部とを一体に備えるカード送付用台紙を折りたたむ折りたたみ装置であって、
前記情報掲載部が、
前記保持部により前記カードが保持されたときにカード表面が現れる当該台紙の表面に、前記カードと関連する情報が印刷される第１の情報掲載部と、広告情報が掲載される第２の情報掲載部とを備え、
さらに、台紙を左右に二分したときの左側領域および右側領域の一方に、前記保持部と前記第１の情報掲載部とカードの送付先が印刷される送付先印刷領域とを備え、前記左側領域および右側領域の他方に前記第２の情報掲載部を備えるカード送付用台紙を、
前記左側領域および右側領域の区分線を境にして裏面側が内側となるように折り曲げ、その折り曲げた状態でさらに折りたたんで前記送付先印刷領域を表面とすることを特徴とする折りたたみ装置。
【請求項１１】
カードを分離可能に保持する保持部と、所定情報が印刷される情報掲載部とを一体に備えるカード送付用台紙を折りたたむ折りたたみ装置であって、
前記情報掲載部が、
前記保持部により前記カードが保持されたときにカード表面が現れる当該台紙の表面に、前記カードと関連する情報が印刷される第１の情報掲載部と、広告情報が掲載される第２の情報掲載部とを備え、
さらに、台紙を左右に二分したときの左側領域および右側領域の一方に、前記保持部と前記第１の情報掲載部とカードの送付先が印刷される送付先印刷領域とを備え、前記左側領域および右側領域の他方に前記第２の情報掲載部を備えるカード送付用台紙を、
前記左側領域および右側領域の区分線に対して交差する線を境にして前記送付先印刷領域が表面となるように折り曲げ、その折り曲げた状態でさらに折りたたむことを特徴とする折りたたみ装置。
【請求項１２】
カードを利用者に送付するために用いるカード送付用台紙に所定事項を印刷する印刷機と、カードの利用者に関する所定情報を管理する利用者情報サーバとを含み、該印刷機と利用者情報サーバとが通信可能に構成された印刷システムであって、
前記印刷機および利用者情報サーバと通信可能に構成され、所定の広告に関する広告情報を管理する広告サーバをさらに含み、
前記利用者情報サーバは、自装置が管理する利用者に関する所定情報のうち、カードが送付される利用者に関する送付者情報を前記印刷機に送信すると共に、該送付者情報のうち、その利用者に適合する広告を選別するために用いる選別情報を前記広告サーバに送信し、
前記広告サーバは、前記選別情報に基づいて、カードが送付される利用者に対する広告情報を選別して前記印刷機に送信し、
前記印刷機は、前記送付者情報と前記広告情報とに基づいて、請求の範囲第５項から第９項のいずれか１項に記載のカード送付用台紙に、前記利用者へのカードの送付に伴い必要となる所定事項と、前記広告情報に基づく広告とを印刷することを特徴とする印刷システム。
【請求項１３】
前記広告は、金融商品に関する広告であることを特徴とする請求の範囲第１２項記載の印刷システム。
【請求項１４】
カードを利用者に送付するために用いるカード送付用台紙に所定事項を印刷する印刷機と、カードの利用者に関する所定情報を管理する利用者情報サーバとを含み、該印刷機と利用者情報サーバとが通信可能に構成された印刷システムにおける印刷機を制御する制御プログラムであって、
前記利用者情報サーバが管理する利用者に関する所定情報のうち、カードが送付される利用者に関する送付者情報を受信し、所定の広告に関する広告情報を管理する広告サーバから、カードが送付される利用者に対する広告情報を受信し、該送付者情報と前記広告情報とに基づいて、請求の範囲第５項から第９項のいずれか１項に記載のカード送付用台紙に、前記利用者へのカードの送付に伴い必要となる所定事項と、前記広告情報に基づく広告とを印刷する機能を実現させることを特徴とする制御プログラム。
【手続補正２】
【補正対象書類名】明細書
【補正対象項目名】０００２
【補正方法】変更
【補正の内容】
【０００２】
したがって、新しいカードが郵送されてきた場合、会員は、カードが保持された台紙を広げて内容を確認し、カードを台紙から取り外すことは確実に行うものの、同封されている金融商品の案内を必ず見るとは限らず、広告を見ることなく廃棄してしまうこともしばしばあるということが判明した。そのため、期待された広告効果が確実には得られないものとなっていた。
本発明の課題は、カード等の送付に併せて行われる広告の効果を確実にすることである。
発明の開示
本発明によるカード送付用台紙は、カードを分離可能に保持する保持部（例えば、図２のカード保持部２ａ）と、所定情報が印刷される情報掲載部（例えば、図２のメッセージ記入部２ｂ、必要事項記入部２ｃおよび広告記入部２ｄ）とを一体に備え、カードを利用者に送付するために用いるカード送付用台紙であって、前記情報掲載部は、前記保持部により前記カードが保持されたときにカード表面が現れる当該台紙の表面に、前記カードと関連する情報が印刷される第１の情報掲載部（例えば、図２のメッセージ記入部２ｂおよび必要事項記入部２ｃ）と、広告情報が掲載される第２の情報掲載部（例えば、図２の広告記入部２ｄ）とを備え、台紙を左右に二分したときの左側領域および右側領域の一方に、前記保持部と前記第１の情報掲載部とカードの送付先が印刷される送付先印刷領域とを備え、前記左側領域および右側領域の他方に前記第２の情報掲載部を備え、さらに、前記左側領域および右側領域の区分線を境にして裏面側が内側となるように折り曲げられ、その折り曲げられた状態でさらに折りたたまれて前記送付先印刷領域が表面とされていることを特徴としている。
このように保持部と情報掲載部とが一体として構成されることにより、広告情報を、カードを分離しようとするカードの利用者の目に確実に触れさせることが可能となる。
また、第１の情報掲載部と第２の情報掲載部とが同一面に備えられることにより、カードと関連する情報を読もうとするカードの利用者の目に広告情報がより確実に触れることとなる。


【手続補正３】
【補正対象書類名】明細書
【補正対象項目名】０００３
【補正方法】変更
【補正の内容】
【０００３】
また、保持部および第１の情報掲載部と第２の情報掲載部とが左右に並んで備えられているため、特に、文章が横書きで記載されている場合、文章を読むカードの利用者が広告に目を移し易くなる。
また、本発明によるカード送付用台紙は、カードを分離可能に保持する保持部と、所定情報が印刷される情報掲載部とを一体に備え、カードを利用者に送付するために用いるカード送付用台紙であって、前記情報掲載部は、前記保持部により前記カードが保持されたときにカード表面が現れる当該台紙の表面に、前記カードと関連する情報が印刷される第１の情報掲載部と、広告情報が掲載される第２の情報掲載部とを備え、台紙を左右に二分したときの左側領域および右側領域の一方に、前記保持部と前記第１の情報掲載部とカードの送付先が印刷される送付先印刷領域とを備え、前記左側領域および右側領域の他方に前記第２の情報掲載部を備え、さらに、前記左側領域および右側領域の区分線に対して交差する線を境にして前記送付先印刷領域が表面となるように折り曲げられ、その折り曲げられた状態でさらに折りたたまれていることを特徴としている。
また、本発明によるカード送付用台紙において、前記第１の情報掲載部に印刷されている情報は、カードの送付案内情報であることとしてもよい。
また、本発明によるカード送付用台紙において、前記第２の情報掲載部に印刷される広告情報は、カード利用者に対応して選択されたものであることとしてもよい。
また、本発明によるカード送付用台紙において、前記第２の情報掲載部に印刷される広告情報は、金融商品（例えば、損害保険や生命保険のプラン等）に関する情報を含むこととしてもよい。
また、本発明による折りたたみ装置は、カードを分離可能に保持する保持部と、所定情報が印刷される情報掲載部とを一体に備えるカード送付用台紙を折りたたむ折りたたみ装置であって、前記情報掲載部が、前記保持部により前記カードが保持されたときにカード表面が現れる当該台紙の表面に、前記カードと関連する情報が印刷される第１の情報掲載部と、広告情報が掲載される第２の情報掲載部とを備え、さらに、台紙を左右に二分したときの左側領域および右側領域の一方に、前記保持部と前記第１の情報掲載部とカードの送付先が印刷される送付先印


【手続補正４】
【補正対象書類名】明細書
【補正対象項目名】０００４
【補正方法】変更
【補正の内容】
【０００４】
刷領域とを備え、前記左側領域および右側領域の他方に前記第２の情報掲載部を備えるカード送付用台紙を、前記左側領域および右側領域の区分線を境にして裏面側が内側となるように折り曲げ、その折り曲げた状態でさらに折りたたんで前記送付先印刷領域を表面とすることを特徴としている。
また、本発明による折りたたみ装置は、カードを分離可能に保持する保持部と、所定情報が印刷される情報掲載部とを一体に備えるカード送付用台紙を折りたたむ折りたたみ装置であって、前記情報掲載部が、前記保持部により前記カードが保持されたときにカード表面が現れる当該台紙の表面に、前記カードと関連する情報が印刷される第１の情報掲載部と、広告情報が掲載される第２の情報掲載部とを備え、さらに、台紙を左右に二分したときの左側領域および右側領域の一方に、前記保持部と前記第１の情報掲載部とカードの送付先が印刷される送付先印刷領域とを備え、前記左側領域および右側領域の他方に前記第２の情報掲載部を備えるカード送付用台紙を、前記左側領域および右側領域の区分線に対して交差する線を境にして前記送付先印刷領域が表面となるように折り曲げ、その折り曲げた状態でさらに折りたたむことを特徴としている。
また、本発明による印刷システムは、カードを利用者に送付するために用いるカード送付用台紙に所定事項を印刷する印刷機（例えば、図１の印刷機１０）と、カードの利用者に関する所定情報を管理する利用者情報サーバ（例えば、図１の会員データサーバ２０）とを含み、該印刷機と利用者情報サーバとが通信可能に構成された印刷システムであって、前記印刷機および利用者情報サーバと通信可能に構成され、所定の広告に関する広告情報を管理する広告サーバ（例えば、図１の広告データサーバ３０）をさらに含み、前記利用者情報サーバは、自装置が管理する利用者に関する所定情報のうち、カードが送付される利用者に関する送付者情報を前記印刷機に送信すると共に、該送付者情報のうち、その利用者に適合する広告を選別するために用いる選別情報（例えば、発明の実施の形態中の「広告選別用情報」）を前記広告サーバに送信し、前記広告サーバは、前記選別情報に基づいて、カードが送付される利用者に対する広告情報を選別して前記印刷機に送信し、前記印刷機は、前記送付者情報と前記広告情報とに基づいて、請求の範囲第５項から第９項のいずれか１項に記載のカード送付用台紙（例えば、図２の


【手続補正５】
【補正対象書類名】明細書
【補正対象項目名】０００５
【補正方法】変更
【補正の内容】
【０００５】
広告付台紙２）に、前記利用者へのカードの送付に伴い必要となる所定事項と、前記広告情報に基づく広告とを印刷することを特徴としている。
また、本発明による印刷システムにおいて、前記広告は、金融商品（例えば、損害保険あるいは生命保険等）に関する広告であることとしてもよい。
また、本発明による制御プログラムは、カードを利用者に送付するために用いるカード送付用台紙に所定事項を印刷する印刷機と、カードの利用者に関する所定情報を管理する利用者情報サーバとを含み、該印刷機と利用者情報サーバとが通信可能に構成された印刷システムにおける印刷機を制御する制御プログラムであって、前記利用者情報サーバが管理する利用者に関する所定情報のうち、カードが送付される利用者に関する送付者情報を受信し、所定の広告に関する広告情報を管理する広告サーバから、カードが送付される利用者に対する広告情報を受信し、該送付者情報と前記広告情報とに基づいて、請求の範囲第５項から第９項のいずれか１項に記載のカード送付用台紙に、前記利用者へのカードの送付に伴い必要となる所定事項と、前記広告情報に基づく広告とを印刷する機能を実現させることを特徴としている。
本発明によれば、カードを保持するカード送付用台紙に、そのカードが送付される利用者に適合する広告が印刷される。
したがって、広告がカードの利用者に確実に送付されると共に、カード送付用台紙とは別の用紙に印刷された広告を単に同封する場合に比べ、カードを取り出そうとするカード利用者の目にその広告を確実に触れさせることができる。
また、各利用者に送付される広告の内容は、その利用者に送付することにより広告効果が大きいものが選別されため、広告をより効率的に行うことができる。
図面の簡単な説明
図１は、本発明を適用した印刷システム１の構成を示す図である。図２は、広




【手続補正書】
【提出日】平成16年11月2日(2004.11.2)
【手続補正１】
【補正対象書類名】明細書
【補正対象項目名】特許請求の範囲
【補正方法】変更
【補正の内容】
【特許請求の範囲】
【請求項１】
カードを分離可能に保持する保持部と、所定情報が印刷される情報掲載部とを一体に備え、カードを利用者に送付するために前記カードを前記カード保持部に保持した状態で封筒に封入されるカード送付用台紙であって、
前記情報掲載部は、前記保持部により前記カードが保持されたときにカード表面が現れる当該台紙の表面に、前記カードと関連する情報が横書きで印刷される第１の情報掲載部と、広告情報が掲載される第２の情報掲載部とを備え、
台紙を左右に二分したときの左側領域および右側領域の一方に、前記保持部と前記第１の情報掲載部とカードの送付先が印刷される送付先印刷領域とを備え、前記左側領域および右側領域の他方に前記第２の情報掲載部を備え、
さらに、前記左側領域および右側領域の区分線を境にして裏面側が内側となるように折り曲げられ、その折り曲げられた状態でさらに折りたたまれて前記送付先印刷領域が表面とされていることを特徴とするカード送付用台紙。
【請求項２】
カードを分離可能に保持する保持部と、所定情報が印刷される情報掲載部とを一体に備え、カードを利用者に送付するために前記カードを前記カード保持部に保持した状態で封筒に封入されるカード送付用台紙であって、
前記情報掲載部は、前記保持部により前記カードが保持されたときにカード表面が現れる当該台紙の表面に、前記カードと関連する情報が横書きで印刷される第１の情報掲載部と、広告情報が掲載される第２の情報掲載部とを備え、
台紙を左右に二分したときの左側領域および右側領域の一方に、前記保持部と前記第１の情報掲載部とカードの送付先が印刷される送付先印刷領域とを備え、前記左側領域および右側領域の他方に前記第２の情報掲載部を備え、
さらに、前記左側領域および右側領域の区分線に対して交差する線を境にして前記送付先印刷領域が表面となるように折り曲げられ、その折り曲げられた状態でさらに折りたたまれていることを特徴とするカード送付用台紙。
【手続補正２】
【補正対象書類名】明細書
【補正対象項目名】発明の詳細な説明
【補正方法】変更
【補正の内容】
【発明の詳細な説明】
【０００１】
(技術分野)
本発明は、カード等を送付するためのカード送付用台紙に関する。
【０００２】
(背景技術)
従来、クレジットカード会社を介して、カード利用者（以下、「会員」と言う。）に対し、生命保険会社あるいは損害保険会社等から生命保険あるいは損害保険を含む金融商品の案内が行われている。
この場合、一般に、カード利用者に対し金融商品の案内をダイレクトメールで郵送する方法が用いられている。
【０００３】
しかし、ダイレクトメールによって金融商品の広告のみを送付する場合、ダイレクトメールを受け取った会員は、それが単なる広告であるとの認識を持ち、そのダイレクトメールは、開封されることなく廃棄されてしまうことも少なくなかった。
【０００４】
一方、クレジットカードには有効期限が設定されているため、会員には、クレジットカード会社から所定の時期に、期限を更新するための新しいカードが郵送される。このとき送付される郵便物は、新しいカードが同封された重要なものであることから、配達が証明される書留扱い等にされるものである。
【０００５】
そして、会員は、送付された新しいカードを取り出すために、確実に郵便物を開封することとなる。
したがって、新しいカードの送付時は、広告効果が特に大きいと考えられ、このときにも金融商品の案内を同封して広告を行っている。
しかしながら、新しいカードを送付する際に同封された金融商品の案内は、カードを保持する台紙（例えば、図５に示すような台紙）とは別の用紙に印刷された状態で同封されている。
【０００６】
したがって、新しいカードが郵送されてきた場合、会員は、カードが保持された台紙を広げて内容を確認し、カードを台紙から取り外すことは確実に行うものの、同封されている金融商品の案内を必ず見るとは限らず、広告を見ることなく廃棄してしまうこともしばしばあるということが判明した。そのため、期待された広告効果が確実には得られないものとなっていた。
【０００７】
本発明の課題は、カード等の送付に併せて行われる広告の効果を確実にすることである。
【０００８】
(発明の開示)
本発明によるカード送付用台紙は、カードを分離可能に保持する保持部（例えば、図２のカード保持部２ａ）と、所定情報が印刷される情報掲載部（例えば、図２のメッセージ記入部２ｂ、必要事項記入部２ｃおよび広告記入部２ｄ）とを一体に備え、カードを利用者に送付するために前記カードを前記カード保持部に保持した状態で封筒に封入されるカード送付用台紙であって、前記情報掲載部は、前記保持部により前記カードが保持されたときにカード表面が現れる当該台紙の表面に、前記カードと関連する情報が横書きで印刷される第１の情報掲載部（例えば、図２のメッセージ記入部２ｂおよび必要事項記入部２ｃ）と、広告情報が掲載される第２の情報掲載部（例えば、図２の広告記入部２ｄ）とを備え、台紙を左右に二分したときの左側領域および右側領域の一方に、前記保持部と前記第１の情報掲載部とカードの送付先が印刷される送付先印刷部とを備え、前記左側領域および右側領域の他方に前記第２の情報掲載部を備え、さらに、前記左側領域および右側領域の区分線を境にして裏面側が内側となるように折り曲げられ、その折り曲げられた状態でさらに折りたたまれて前記送付先印刷領域が表面とされていることを特徴としている。
【０００９】
このように、保持部と情報掲載部とが一体として構成されることにより、広告情報を、カードを分離しようとするカードの利用者の目に確実に触れさせることが可能となる。
また、第１の情報掲載部と第２の情報掲載部とが同一面に備えられることにより、カードと関連する情報を読もうとするカードの利用者の目に広告情報がより確実に触れることとなる。
【００１０】
また、保持部および第１の情報掲載部と第２の情報掲載部とが左右に並んで備えられており、しかも文章が横書きで記載されているから、文章を読むカードの利用者が広告に目を移し易い。
また、本発明によるカード送付用台紙は、カードを分離可能に保持する保持部と、所定情報が印刷される情報掲載部とを一体に備え、カードを利用者に送付するために前記カードを前記カード保持部に保持した状態で封筒に封入されるカード送付用台紙であって、前記情報掲載部は、前記保持部により前記カードが保持されたときにカード表面が現れる当該台紙の表面に、前記カードと関連する情報が横書きで印刷される第１の情報掲載部と、広告情報が掲載される第２の情報掲載部とを備え、台紙を左右に二分したときの左側領域および右側領域の一方に、前記保持部と前記第１の情報掲載部とカードの送付先が印刷される送付先印刷領域とを備え、前記左側領域および右側領域の他方に前記第２の情報掲載部を備え、さらに、前記左側領域および右側領域の区分線に対して交差する線を境にして前記送付先印刷領域が表面となるように折り曲げられ、その折り曲げられた状態でさらに折りたたまれていることを特徴としている。
【００１１】
(発明を実施するための最良の形態)
以下、図を参照して本発明に係るカード等を送付するためのカード送付用台紙（以下、「広告付台紙２」と言う。）の実施の形態を詳細に説明する。
図１は、本発明に係る広告付台紙２の印刷システム１の構成を示す図である。
印刷システム１においては、広告付台紙２への印刷が行われる。
したがって、初めに、この広告付台紙２の構成について説明する。
【００１２】
図２（ａ）は、広告付台紙２の構成を示す図である。図２（ａ）において、広告付台紙２は、期限の更新等のために新しく送付されるカード（以下、「更新カード」と言う。）を保持するカード保持部２ａと、更新カードの送付先あるいはクレジットカード会社等から会員に対する挨拶等のメッセージを記入するためのメッセージ記入部２ｂと、カードの利用規約等、必要事項が記入される必要事項記入部２ｃと、金融商品の広告が記入される広告記入部２ｄとを含んで構成される。
【００１３】
広告付台紙２において、カード保持部２ａ、メッセージ記入部２ｂおよび必要事項記入部２ｃは、左半分の領域（以下、「左頁」と言う。）に配置され、広告記入部２ｄは、右半分の領域（以下、「右頁」と言う。）に配置される。
また、左頁において、メッセージ記入部２ｂは上段に、カード保持部２ａは中段に、必要事項記入部２ｃは下段にそれぞれ配置されている。
【００１４】
そして、広告付台紙２は、郵送時に以下のように折りたたまれる。
広告付台紙２において、初めに、図２（ｂ）に示すように、左頁と右頁の境界につけられた折り目において、広告付台紙２の表面（メッセージ記入部２ｂ等が設けられた面）が表出するように折りたたまれる。
次いで、左頁の上段、中段および下段の境界につけられた折り目において、図２（ｃ）に示すように広告付台紙２が折りたたまれる。このとき、上段と中段の境界は山折りに、中段と下段の境界は谷折りとされる。
【００１５】
このように折りたたむことにより、折りたたまれた状態でメッセージ記入部２ｂが表面に現れ、カード保持部２ａは３つ折りの内側に折り込まれることとなる。
したがって、更新カードを受領した会員がカードの台紙を開く際、更新カードを取り外そうとすることにより、右頁に記入された金融商品の広告を見ることとなる。即ち、更新カードの送付時に同封された広告を、確実に会員の目に触れさせることができ、広告の効果を確実なものとすることができる。
【００１６】
次に、図１を参照して、印刷システム１の構成を説明する。
図１において、印刷システム１は、印刷機１０と、会員データサーバ２０と、広告データサーバ３０と、ネットワーク４０とを含んで構成される。
印刷機１０は、広告付台紙２の各部分に所定の記入事項を印刷する印刷機構を備えている。また、印刷機１０は、会員データサーバ２０および広告データサーバ３０とネットワーク４０を介して接続されている。そして、印刷機１０は、会員データサーバ２０から、更新カードを送付する会員に関する情報を受信し、その会員の住所、氏名等を広告付台紙２の宛先、住所等の記入欄に印刷すると共に、その会員へのメッセージを広告付台紙２の所定位置に印刷する。さらに、印刷機１０は、広告データサーバ３０から、所定の広告に関する情報を受信し、受信した金融商品の広告を広告付台紙２の右頁に印刷する。
【００１７】
また、印刷機１０は、印刷された広告付台紙２を用いて更新カードを封入する作業を行う封入機構を備え、印刷された広告付台紙２に、対応する会員の更新カードを保持させ、折りたたんで封筒に封入することにより郵送可能な状態とする。なお、封入機構は、印刷機１０と別ユニットとすることも可能である。
会員データサーバ２０は、クレジットカードの利用者である会員の住所、氏名、カードの有効期限等を含む会員情報を管理し、ネットワーク４０を介して、更新カードを送付する会員の会員情報を印刷機１０に送信する。
【００１８】
また、会員データサーバ２０は、広告データサーバ３０に対し、更新カードを送付する会員に関する情報（以下、「広告選別用情報」と言う。）を送信する。このとき送信される広告選別用情報は、その会員に対する広告内容を決定するために有用な情報であり、例えば、年齢に合わせた生命保険プランや、損害保険プランを選択するために利用される。
広告データサーバ３０は、種々の金融商品の広告に関する情報（以下、「広告情報」と言う。）を記憶し、会員データサーバ２０から送信される広告選別用情報に基づいて、その広告選別用情報に適する広告情報を印刷機１０に送信する。
【００１９】
ここで、広告データサーバ３０に記憶される広告情報は、生命保険会社あるいは損害保険会社等の広告主から、カードを送付するカード会社等が送付を依頼された広告に関する情報である。
ネットワーク４０は、専用ネットワークあるいは公衆ネットワークにより構成され、印刷機１０と、会員データサーバ２０と、広告データサーバ３０とを相互に接続する。
【００２０】
次に、印刷システム１の動作を説明する。
図３は、印刷システム１において、更新カードを印刷し郵送可能な状態とする処理の流れを示す図である。
図３において、初めに、会員データサーバ２０が、管理している会員のうち、カードの更新時期となった会員の会員情報を印刷機１０に送信し（ステップＳ１）、その会員についての広告選別用情報を広告データサーバ３０に送信する（ステップＳ２）。
【００２１】
すると、広告データサーバ３０は、受信した広告選別用情報に基づいて、その会員に対して広告効果が大きい広告情報を選別し（ステップＳ３）、選別した広告情報を印刷機１０に送信する（ステップＳ４）。
次に、印刷機１０は、会員データサーバ２０から受信した会員情報に基づいて、広告付台紙２に、所定の会員の住所あるいは氏名等を、また、広告データサーバ３０から受信した広告情報に基づいて、その会員に対する広告をそれぞれ印刷し、さらに、必要事項を印刷する（ステップＳ５）。
【００２２】
続いて、印刷機１０は、封入機構によって、更新カードを対応する広告付台紙２に保持させ、折りたたむ等の封入作業を行うことにより、郵送可能な状態とする（ステップＳ６）。
このようにして封入された更新カードは、郵送等により会員に送付され、その会員によって開封されることとなる。そして、このとき、広告付台紙２を開き、更新カードを取り出そうとする会員は、更新カードが保持された左頁に対し、見開きである右頁に印刷された広告を見ることとなる。したがって、広告付台紙２を使用することにより、送付された広告を確実に会員の目に入れることができる。
【００２３】
以上のように、本実施の形態における印刷システム１は、更新カードを保持する左頁の見開きとなる右頁に、その更新カードが送付される会員に適合する広告が印刷される。
したがって、広告が会員に確実に送付されると共に、更新カードを取り出そうとする会員の目に、その広告を確実に触れさせることができ、広告効果をより確実なものとすることができる。即ち、雑誌に広告を掲載する等、不特定の需要者を対象として広告を行う場合に比べ、広告に対する高い成約率を期待することができる。
【００２４】
また、各会員に送付される広告の内容は、その会員に送付することにより広告効果が大きいものが選別されため、広告をより効率的に行うことができる。
なお、広告付台紙２を郵送のために折りたたむ態様は、図２に示す例の他、以下のような態様も可能である。
図４は、広告付台紙２を折りたたむ態様の他の例を示す図である。
【００２５】
初めに、図４（ａ）に示す広告付台紙２が広げられた状態から、左頁の上段、中段および下段の境界に沿って左頁および右頁に渡る折り目において、図４（ｂ）に示すように広告付台紙２が折りたたまれる。このとき、上段と中段の境界は山折りに、中段と下段の境界は谷折りとされる。
次いで、図４（ｂ）のように３つ折りとされた状態において、左頁と右頁の境界にあたる折り目において、広告付台紙２のメッセージ記入部２ｂが表出するように折りたたまれる。
【００２６】
このように折りたたむことにより、折りたたまれた状態でメッセージ記入部２ｂが表面に現れ、カード保持部２ａは３つ折の内側に折り込まれることとなる。
さらに、折りたたまれた広告付台紙２を開く手順において、会員がカード保持部２ａを広げ見る場合には、必ず広告記入部２ｄが広げられることとなる。
したがって、更新カードを受領した会員がカードの台紙を開く際、更新カードを取り外そうとすることにより、右頁に記入された広告をより確実に見ることとなる。
【００２７】
(産業上の利用の可能性)
本発明によれば、カードを保持するカード送付用台紙に、そのカードが送付される利用者に適合する広告が印刷される。
したがって、広告がカードの利用者に確実に送付されると共に、カード送付用台紙とは別の用紙に印刷された広告を単に同封する場合に比べ、カードを取り出そうとするカード利用者の目にその広告を確実に触れさせることができる。
【００２８】
また、各利用者に送付される広告の内容は、その利用者に送付することにより広告効果が大きいものが選別されため、広告をより効率的に行うことができる。
【国際調査報告】
2003095223.tif 000008
2003095223.tif 000009
2003095223.tif 000010
2003095223.tif 000011